(57)【要約】      （修正有）【課題】杭や耐圧盤などの建物支持杭の杭頭部に装着して、既存建物のジャッキアップ後の建物重量保持や免震装置取付け架台であるＨ形鋼フレームの組み立てに使用する免震工法用支持台金具を提供する。【解決手段】免震工法用支持台金具２は、建物に施工された杭や耐圧盤などの建物支持杭３の全ての杭頭部に２本の六角ボルトで装着する。油圧ジャッキによるアップ・ダウン後に建物を保持する機能である建物支持治具４とＨ形鋼フレームを組み立てるＨ形鋼取付け治具１を同時または単独でセットする事ができる。建物支持治具４は、油圧ジャッキの動きとスライドボルト５を連動させて、固定ナットを締め付けることにより建物を保持する機能を有する。Ｈ形鋼取付け治具１は、免震工法用支持台金具２の定盤に空けられているボルト孔にセットして使用され、Ｈ形鋼フレームの水平レベルの調整も可能である。【選択図】図１
2017002699.tif 000002
【特許請求の範囲】
【請求項１】
地盤補強杭やアンダーピニング工法および耐圧盤工法で設置された建物支持杭の杭頭部に装着して既存建物の部分重量を支えるスライドボルトと固定用ナットを備えた建物支持治具の取り外しができる事を特徴とする免震工法用支持台。
【請求項２】
地盤補強杭やアンダーピニング工法および耐圧盤工法で設置された建物支持杭の杭頭部に装着して、Ｈ形鋼フレームを構築するＨ形鋼取付け治具の装填が可能なことを特徴とする請求項１に記載の免震工法用支持台。
【請求項３】
杭頭部間に設置されたＨ形鋼フレームの水平レベルを任意に調整できることを特徴とする請求項１又は２に記載の免震工法用支持台。
【請求項４】
スライドボルトと固定ナットのみで建物アップダウンができることを特徴とする請求項１から３に記載の免震工法用支持台。
【発明の詳細な説明】
【技術分野】
【０００１】  本発明は、地盤補強杭やアンダーピニング工法、耐圧板工法で施工された建物支持杭を利用して建物基礎下に免震装置を設置する工法に使用する杭頭部の金具に関するものである。
【背景技術】
【０００２】  既存建物の基礎下に免震装置を設置する免震化工事は、室内側または基礎下から床下地盤を掘削して基礎と地盤に空間を作り、コンクリートや耐圧盤で免震装置用の新たな基礎を作り免震装置を設置する工法や特許文献３などのように杭頭上に直接免震装置を乗せて行う方法なども提案されているが、既存建物をジャッキアップし、ジャッキアップした建物を保持し、同じ金具上にＨ形鋼フレームを構築できる様な杭頭部の金具は提案されていない。
【先行技術文献】
【特許文献】
【０００３】
【特許文献１】特開２０１３−１５９９４５号公報
【特許文献２】特開２０１３−１１５９９７号公報
【特許文献３】特開２００７−１２０２３２号公報
【発明の概要】
【発明が解決しようとする課題】
【０００４】  本発明は、建物支持杭を利用して建物基礎下に免震装置を設置するときに使用する杭頭部金具で、建物を保持する機能と建物基礎下にＨ形鋼フレームを構築し、水平レベルの調整機能を持った免震工法用支持台金具の提案である。
【発明の効果】
【０００５】  免震工法用支持台金具は、既存建物をジャッキアップした建物基礎と地面の空間を、油圧ジャッキを撤去した後も保持している事ができ、油圧ジャッキ撤去スペースにＨ形鋼フレーム組付け金具を組込み、建物基礎下での掘削作業や免震装置の架台となるＨ形鋼フレーム組立て作業が容易にできることから工事費の大幅なコスト削減や工期短縮の期待ができる。
【図面の簡単な説明】
【０００６】
【図１】免震工法用支持台金具。
【図２】建物支持治具と建物ジャッキアップの概要図。
【図３】Ｈ形鋼取付け治具とＨ形鋼組立て概要図。
【図４】Ｈ形鋼取付け治具へのＨ形鋼組立て概要図。
【図５】免震工法用支持台金具の実施例。
【発明を実施するための形態】
【０００７】  図を用いて本発明に係る免震工法用支持台金具を説明する。
【０００８】  図１は、免震工法用支持台金具２のフル装備、建物に施工された杭や耐圧盤などの地盤補強杭（建物支持杭）３の全ての杭頭部に２本の六角ボルト６で装着して使用する。この免震工法用支持台金具には、建物支持治具４とＨ形鋼取付け治具１を同時または単独にセットする事ができる。
建物支持治具４は、油圧ジャッキの動きとスライドボルト５を連動させて、固定ナットを締め付けることにより建物を保持する機能を有する。
Ｈ形鋼取付け治具１は、Ｈ形鋼を４方向に固定するためのボルト孔の空けられた角鋼管が定盤に溶接接合され、定盤の裏面には４本のボルトが溶接接合されており、免震工法用支持台金具２の定盤に空けられているボルト孔にセットして使用され、Ｈ形鋼フレームの水平レベルの調整も可能である。
【０００９】  図２（イ）は、免震工法用支持台金具５に油圧ジャッキ連動板１、スライドボルト連動板２、スライドボルト３および固定ナット４で構成される建物支持治具をセットした全景である。
図２（ロ）は、既存建物の基礎下に施工された支持杭や耐圧盤の支持管の杭頭部２に２本の六角ボルト１装着された全景である。
【００１０】  図２（ハ）は、既存建物のジャッキアップイメージであり、免震工法用支持台金具５の定盤に油圧ジャッキ１をセットし、スライドボルトの最下端にある固定ナット３を緩めてからジャッキアップ作業を行い、ジャッキのストロークが最上端に達したら、スライドボルトと連動していた２連状の固定ナット２を免震工法用支持台金具５の定盤まで下げ、スライドボルトが建物重量を支持した状態で固定する。この状態で油圧ジャッキを下降させ、免震工法用支持台金具５から取出し、次の作業を行う。ジャッキアップ作業が終了したら、油圧ジャッキで建物重量を支持した状態で２の固定ナットを緩めてスライドボルトを下げて点線部分の部品を取り除いた後、再びスライドボルトを建物基礎下端まで持ち上げ建物重量を支持した状態で２と３の固定ナットを免震工法用支持台金具の定盤に強く固定４して建物重量の支持状態を保持する。
【００１１】  図３（イ）は、ジャッキアップ後、免震工法用支持台金具の定盤に固定された４本のスライドボルト１でジャッキアップ後の建物重量を保持した状態でＨ形鋼取付け治具２がセットされた全景である。
図３（ロ）は、免震工法用支持台金具の定盤にセットされたＨ形鋼取付け治具にＨ形鋼フレーム部材１がボルトで取付けられた全景であり、免震工法用支持台金具の定盤に差し込まれた４本のボルト２高さを調整することにより、Ｈ形鋼フレームの水平レベルの調整も可能である。
【００１２】  図４の（イ）と（ロ）は、免震工法用支持台金具にセットされたＨ形鋼取付け治具にＨ形鋼フレーム部材がボルト１で固定された全景であり、最大４方向にＨ形鋼フレーム部材１を取付けることが可能である。
【００１３】  図５は、地盤補強のないベタ基礎の既存建物で、アンダーピニング工法により基礎下に建物支持杭５を圧入し、支持杭の杭頭に免震工法用支持台金具４を装着し、この上にＨ形鋼取付け治具３を固定して、この治具にＨ形鋼をボルトで固定してＨ形鋼フレーム６を組み立てる。このＨ形鋼フレーム上に免震装置２、減衰装置７および微震揺れ防止装置８を複数台づつバランス良く設置し、水平レベルを調整したあと既存建物を免震装置２、減衰装置７および微震揺れ防止装置８の上に降ろして固定したイメージである。
【符号の説明】
【００１４】図１の符号説明
１  Ｈ形鋼取付け治具
２  免震工法用支持台金具
３  建物支持杭
４  建物支持治具
５  スライドボルト
図２（イ）の符号説明
１  油圧ジャッキ連動板
２  スライドボルト連動板
３  スライドボルト
４  スライドボルト固定ナット
５  免震工法用支持台金具
図２（ロ）の符号説明
１  六角ボルト
２  建物支持杭（建物支持管）
図２（ハ）の符号説明
１  油圧ジャッキ
２  スライドボルト上固定ナット
３  スライドボルト下固定ナット
図３（イ）の符号説明
１  スライドボルト
２  Ｈ形鋼取付け治具
図３（ロ）の符号説明
１  Ｈ形鋼フレーム部材
２  Ｈ形鋼取付け治具接続および水平レベル調整ボルト
図４（イ）の符号説明
１  Ｈ形鋼フレーム部材固定ボルト
図４（ロ）の符号説明
１  Ｈ形鋼フレーム部材
図５の符号説明
１  コンクリート基礎
２  免震装置
３  Ｈ形鋼取付け治具
４  免震工法用支持台金具
５  建物支持杭
６  Ｈ形鋼フレーム
７  減衰装置
８  微震揺れ防止装置
９  軟弱地盤
１０  支持地盤（硬質地盤）
【図１】
2017002699.tif 000003
【図２】
2017002699.tif 000004
【図３】
2017002699.tif 000005
【図４】
2017002699.tif 000006
【図５】
2017002699.tif 000007